(57)【要約】【課題】ウェーハへのダメージを与えることなく、剥離作業から受渡装置によって枚葉洗浄部に搬送するまでの時間を短縮して全体として効率を向上する。【解決手段】ウェーハ剥離洗浄装置において、ウェーハ剥離枚葉部１００は、第１及び第２剥離用吸着パッド２００、２０１と、倒止板２１４と、倒止板２１４の上部にスリット２１６ａが形成された２枚取り防止板２１６と、を有し、受渡装置１１８は、受渡用吸着パッド３００と、受渡用吸着パッド３００にウェーハＷが吸着保持されたこと検知する圧力スイッチと、を有し、圧力スイッチによる検知信号によって、第１及び第２剥離用吸着パッド２００、２０１の真空吸着を解除すると共に、受渡用吸着パッド３００の後退及び第１及び第２剥離用吸着パッド２００、２０１の下降を開始する。【選択図】図７
2020120094.tif 000002
【特許請求の範囲】
【請求項１】
多数枚同時に切断されたバッチ状態のウェーハをウェーハ剥離枚葉部において１枚ずつスライスベースから剥離して枚葉化し、剥離した前記ウェーハを受渡位置で受渡装置に受け渡し、該受渡装置により枚葉洗浄部に搬送して枚葉洗浄し、洗浄後、回収部でカセットに回収するウェーハ剥離洗浄装置において、
前記ウェーハの端面を吸着保持する剥離用吸着パッドと、前記剥離用吸着パッドを鉛直上方に昇降移動する昇降用ロータリーアクチュエータと、前記昇降用ロータリーアクチュエータが設置された支持プレートに設けられた倒止板と、該倒止板の上部にスリットが形成され前記倒止板に固着された２枚取り防止板と、を有した前記ウェーハ剥離枚葉部と、
前記ウェーハ剥離枚葉部で剥離された前記ウェーハを前記剥離用吸着パッドから受け取る受渡用吸着パッドと、該受渡用吸着パッドに前記ウェーハが吸着保持されたこと検知する圧力スイッチと、を有した前記受渡装置と、
前記圧力スイッチによる検知信号によって、前記剥離用吸着パッドの真空吸着を解除すると共に、前記受渡用吸着パッドの前記剥離用吸着パッドから後退及び前記剥離用吸着パッドの下降を開始する制御装置と、
を備えたことを特徴とするウェーハ剥離洗浄装置。
【請求項２】
前記倒止板は、前記ウェーハの端面側に樹脂製の押し当て板を設けたことを特徴とする請求項１に記載のウェーハ剥離洗浄装置。
【請求項３】
前記押し当て板の反対側にステンレス製のステンレスプレートを設けたことを特徴とする請求項２に記載のウェーハ剥離洗浄装置。
【請求項４】
前記剥離用吸着パッドに吸着保持された前記ウェーハは、前記押し当て板にガイドされて、前記スリットを通過して前記受渡位置で停止することを特徴とする請求項１から３のいずれか１項に記載のウェーハ剥離洗浄装置。
【請求項５】
前記受渡用吸着パッド及び前記剥離用吸着パッドは平形真空パッドとされることを特徴とする請求項１から４のいずれか１項に記載のウェーハ剥離洗浄装置。
【請求項６】
前記スリットの幅は、前記ウェーハの厚さの１．１〜１．５倍の幅とされることを特徴とする請求項１から５のいずれか１項に記載のウェーハ剥離洗浄装置。
【請求項７】
前記受渡用吸着パッドを先端部に設けた旋回アームを有し、前記受渡位置は前記旋回アームが水平となる位置であることを特徴とする請求項１から６のいずれか１項に記載のウェーハ剥離洗浄装置。
【請求項８】
前記受渡位置において、前記ウェーハは前記受渡用吸着パッドの軸心と同軸上に位置することを特徴とする請求項１から７のいずれか１項に記載のウェーハ剥離洗浄装置。
【発明の詳細な説明】
【技術分野】
【０００１】
本発明はウェーハ剥離洗浄装置に係り、特にワイヤソーで多数枚に同時切断され、バッチ状態（束ねられた）とされたウェーハをスライスベースから剥離して枚葉化し、洗浄するウェーハ剥離洗浄装置に関する。
【背景技術】
【０００２】
ワイヤソーでインゴットを切断すると、ウェーハは全てスライスベースに接着された状態で切り出される。このため、ウェーハはスライスベースから剥離して枚葉化する必要がある。また、ワイヤソーで切断された直後のウェーハには、加工液等が付着しているため、洗浄して加工液を除去する必要がある。
【０００３】
従来、このウェーハの剥離作業と洗浄作業は、一台のウェーハ剥離洗浄装置で行っていた。また、ウェーハ剥離洗浄装置は、粗洗浄部、ウェーハ剥離枚葉部、洗浄部及び回収部で構成されており、切断直後のウェーハは、まず、粗洗浄部に搬送されて粗洗浄される。そして、粗洗浄されたバッチ状態のウェーハは、ウェーハ剥離枚葉部に搬送されて、そこで１枚ずつスライスベースから剥離されて枚葉化される。スライスベースから剥離されたウェーハは、受渡装置によって枚葉洗浄部に搬送される。そして、枚葉洗浄され、回収部において１枚ずつ回収されてカセットに収納される。
【０００４】
ウェーハ剥離枚葉部では、剥離作業位置においてウェーハを剥離用吸着パッドで吸着してスライスベースから剥離した後、剥離用吸着パッドを上方に移動し、所定の受渡位置で停止する。受渡位置には、受渡装置の受渡用吸着パッドが待機しており、ウェーハは受渡用吸着パッドに受け渡される。次いで、受渡用吸着パッドを剥離用吸着パッドから後退させる。その後、剥離用吸着パッドを下方に移動させて、元の剥離作業位置に復帰させることが知られ、特許文献１に記載されている。
【先行技術文献】
【特許文献】
【０００５】
【特許文献１】特開平１１−２８８９０２号公報
【発明の概要】
【発明が解決しようとする課題】
【０００６】
特許文献１に記載のものでは、ウェーハを剥離用吸着パッドで吸着して剥離用吸着パッドを上方に移動する速度を速めるとウェーハの表面を傷付ける恐れがある。また、受渡位置において、受渡用吸着パッドを剥離用吸着パッド位置から後退させてから剥離用吸着パッドを元の剥離作業位置に復帰させるので、剥離作業を開始するタイミングが遅れ、剥離作業を順次行う上で無駄な時間が生じる。さらに、ウェーハが受渡用吸着パッドに受け渡されるタイミングが明確でないため、剥離用吸着パッドを下方に移動するタイミングが早すぎると、却ってウェーハの表面を傷付けたり、割れや欠け、チッピング、マイクロクラック等のダメージを与える恐れが有る。
【０００７】
本発明の目的は、上記従来技術の課題を解決し、ウェーハへのダメージを与えることなく、剥離作業から受渡装置によって枚葉洗浄部に搬送するまでの時間を短縮して、全体として効率を向上したウェーハ剥離洗浄装置を得ることにある。
【課題を解決するための手段】
【０００８】
上記課題を解決するため、本発明は、多数枚同時に切断されたバッチ状態のウェーハをウェーハ剥離枚葉部において１枚ずつスライスベースから剥離して枚葉化し、剥離した前記ウェーハを受渡位置で受渡装置に受け渡し、該受渡装置により枚葉洗浄部に搬送して枚葉洗浄し、洗浄後、回収部でカセットに回収するウェーハ剥離洗浄装置において、前記ウェーハの端面を吸着保持する剥離用吸着パッドと、前記剥離用吸着パッドを鉛直上方に昇降移動する昇降用ロータリーアクチュエータと、前記昇降用ロータリーアクチュエータが設置された支持プレートに設けられた倒止板と、該倒止板の上部にスリットが形成され前記倒止板に固着された２枚取り防止板と、を有した前記ウェーハ剥離枚葉部と、前記ウェーハ剥離枚葉部で剥離された前記ウェーハを前記剥離用吸着パッドから受け取る受渡用吸着パッドと、該受渡用吸着パッドに前記ウェーハが吸着保持されたこと検知する圧力スイッチと、を有した前記受渡装置と、前記圧力スイッチによる検知信号によって、前記剥離用吸着パッドの真空吸着を解除すると共に、前記受渡用吸着パッドの前記剥離用吸着パッドから後退及び前記剥離用吸着パッドの下降を開始する制御装置と、を備えたものである。
【０００９】
また、上記において、前記倒止板は、ウェーハの端面側に樹脂製の押し当て板を設けることが望ましい。
【００１０】
さらに、前記押し当て板の反対側にステンレス製のステンレスプレートを設けることが望ましい。
【００１１】
さらに、前記剥離用吸着パッドに吸着保持された前記ウェーハは、前記押し当て板にガイドされて、前記スリットを通過して前記受渡位置で停止することが望ましい。
【００１２】
さらに、前記受渡用吸着パッド及び前記剥離用吸着パッドは平形真空パッドとされることが望ましい。
【００１３】
さらに、前記スリットの幅は、前記ウェーハの厚さの１．１〜１．５倍の幅とされることが望ましい。
【００１４】
さらに、前記受渡用吸着パッドを先端部に設けた旋回アームを有し、前記受渡位置は前記旋回アームが水平となる位置であることが望ましい。
【００１５】
さらに、前記受渡位置において、前記ウェーハは前記受渡用吸着パッドの軸心と同軸上に位置することが望ましい。
【発明の効果】
【００１６】
本発明によれば、ウェーハ剥離枚葉部は、剥離用吸着パッドと、倒止板と、倒止板の上部にスリットが形成された２枚取り防止板と、を有し、受渡装置は、受渡用吸着パッドと、受渡用吸着パッドにウェーハが吸着保持されたことを検知する圧力スイッチと、を有し、圧力スイッチによる検知信号によって、剥離用吸着パッドの真空吸着を解除すると共に、受渡用吸着パッドの後退及び剥離用吸着パッドの下降を開始するので、ウェーハへのダメージを与えることなく、剥離作業から受渡装置によって枚葉洗浄部に搬送するまでの時間を短縮して全体として効率を向上したウェーハ剥離洗浄装置を得ることができる。
【図面の簡単な説明】
【００１７】
【図１】ウェーハ剥離洗浄装置の全体構成を示す平面図
【図２】ウェーハ剥離枚葉部の構成を示す平面図
【図３】剥離装置の構成を示す平面図
【図４】受渡装置の構成を示す平面部分断面図
【図５】剥離装置の構成を示す正面図
【図６】剥離装置の構成を示す側面図
【図７】ウェーハ剥離枚葉部の構成を示す正面図
【図８】受渡装置の構成を示す正面図
【図９】受渡装置の構成を示す側面部分断面図
【図１０】剥離用吸着部の詳細を示す要部の拡大側面図
【図１１】剥離用吸着部の詳細を示す要部の拡大正面図
【図１２】剥離作業の作用の説明図
【図１３】枚葉洗浄部の構成を示す側面図
【図１４】搬送ユニットの構成を示す平面図
【図１５】回収部の構成を示す平面図
【発明を実施するための形態】
【００１８】
以下、本発明の実施形態について図面を参照して詳細に説明する。図１は、本発明に係るウェーハ剥離洗浄装置１の構成を示す平面図、図２は、ウェーハ剥離枚葉部１００の構成を示す平面図である。図１に示すように、本実施の形態のウェーハ剥離洗浄装置１は、粗洗浄部１０、ウェーハ剥離枚葉部１００、搬送部３１０、枚葉洗浄部３５０、検出部４００及び回収部５００を主要部として構成されている。各主要部の概要を説明する。
【００１９】
粗洗浄部１０は、ワイヤソーで切断された直後のバッチ状態のウェーハＷ（スライスベースＳに接着されたウェーハＷ）をシャワー洗浄して切断時に付着したスラリを除去する。粗洗浄部１０は、ウェーハＷの洗浄を行う粗洗浄装置１２を備えている。粗洗浄装置１２では、マウンティングプレートＭを上側にして、スライス溝を下側にして浸漬し、洗浄する洗浄工程を有する。洗浄する際に上下にゆすりながら、溝内に水流を起こして洗浄する。洗浄が終了すると、粗洗浄部１０から搬出されたウェーハは、そのままリフターによって次のウェーハ剥離枚葉部１００に搬送される。
【００２０】
ウェーハ剥離枚葉部１００では、ウェーハ剥離枚葉部１００は、バッチ状態のウェーハＷをスライスベースＳから１枚ずつ剥離して枚葉化する。そして、ウェーハ剥離枚葉部１００は、図２に示すように熱水槽１１２、剥離装置１１４、受渡装置１１８を主要装置として構成されている。受渡装置１１８は、剥離装置１１４によってスライスベースＳから剥離されたウェーハを受け取り、搬送部３１０のシャトルコンベア３１２に受け渡す装置である。
【００２１】
搬送部３１０は、ウェーハ剥離枚葉部１００で剥離、枚葉したウェーハＷを受け取り、次の枚葉洗浄部３５０に搬送する。そして、搬送部３１０に備えられたシャトルコンベア３１２によってウェーハＷを枚葉洗浄部３５０に搬送する。
【００２２】
枚葉洗浄部３５０は、ウェーハ剥離枚葉部１００で剥離枚葉されたウェーハＷを１枚ずつ枚葉洗浄する。枚葉洗浄部３５０は、枚葉ブラシ洗浄部３５２と枚葉プレリンス部３５４と枚葉リンス部３５６とから構成されている。枚葉ブラシ洗浄部３５２は、搬送されてきたウェーハＷの裏表面に洗浄液をかけながらブラシ洗浄する。洗浄後は、洗浄液を次工程に持ち込まないようにするために、圧縮エアーを噴射して液切りする。そして、ブラシ洗浄が終了したウェーハＷは、次工程の枚葉プレリンス部３５４に搬送される。
【００２３】
枚葉プレリンス部３５４は、搬送されてきたウェーハの裏表面にプレリンス液ノズルからプレリンス液をかけながら回転ブラシによってブラシ洗浄する。洗浄後は、圧縮エアーを噴射して液切りする。そして、次工程の枚葉リンス部３５６に搬送する。
【００２４】
枚葉リンス部３５６は、ウェーハの裏表面にリンス液ノズルからリンス液をかけながら回転ブラシによってブラシ洗浄する。洗浄後は、液切りされたウェーハＷは、検出部４００の丸ベルトコンベア４１１上に移送され、検出部４００の所定の受取位置に搬送される。
【００２５】
検出部４００は、洗浄が終了したウェーハＷについて１枚１枚、割れ、欠け、及び接着剤残りの有無を検出すると共に、１枚１枚厚さを測定する。そして、検出が終了したウェーハＷを回収部５００のウェーハ搬送ロボット５０８に受け渡す。
【００２６】
ウェーハ搬送ロボット５０８は、多関節形のロボットであり、先端に、旋回自在なハンド部５２０が設けられ、ウェーハＷは、そのハンド部５２０の先端に設けられた吸着パッド５２２で吸着保持されて搬送される。回収部５００は、接着剤残りウェーハと不良ウェーハ（割れウェーハ、欠けウェーハ、厚さ不良ウェーハ、端材）を分別するため、正常なウェーハを回収する二つのウェーハ回収部５０２Ａ、５０２Ｂと、不良ウェーハを回収する不良ウェーハ回収部５０４と、接着剤残りウェーハを回収する接着剤残りウェーハ回収部５０６とで構成される。
【００２７】
そして、ウェーハ搬送ロボット５０８は、検出部４００からウェーハＷを受け取り、その検出結果に基づいてウェーハＷを各ウェーハ回収部５０２、５０４、５０６のカセットに分別して収納する。
【００２８】
次に、ウェーハ剥離枚葉部１００の詳細について説明する。図２はウェーハ剥離枚葉部１００の構成を示す平面図、図３は剥離装置１１４の構成を示す平面図、図４は受渡装置１１８の構成を示す平面部分断面図、図５は剥離装置１１４の構成を示す正面図、図６は剥離装置１１４の構成を示す側面図、図７はウェーハ剥離枚葉部１００の構成を示す正面図、図８は受渡装置１１８の構成を示す正面図、図９は受渡装置１１８の構成を示す側面部分断面図である。ウェーハ剥離枚葉部１００は、熱水槽１１２、剥離装置１１４、受渡装置１１８を主要装置として構成されている。
【００２９】
熱水槽１１２の構成について説明する。熱水槽１１２は矩形の箱型に形成されており、その内部に熱水１２０が貯留されている。スライスベースＳから剥離するウェーハＷは、熱水槽１１２内に設けられたワーク保持部１２２にセットされる。そして、ウェーハＷがワーク保持部１２２にセットされることにより、ウェーハＷに接着されたスライスベースＳが熱水１２０中に浸漬される。
【００３０】
剥離装置１１４の概略構成について、主に図３にしたがって説明する。剥離装置１１４は、熱水槽１１２内にセットされたウェーハＷをスライスベースＳから１枚ずつ剥離する装置である。図２及び図５示すように、熱水槽１１２の右側部近傍には、熱水槽１１２の長手方向に沿って一対の第１ガイドレール１３６、１３６が配設されている。この第１ガイドレール１３６、１３６上には、リニアガイド１３８、１３８（図５）を介して第１スライドテーブル（走行体）１４０がスライド自在に支持されている。
【００３１】
第１スライドテーブル１４０の下面にはナット部材１４２（図５）が固着されており、ナット部材１４２は、一対の第１ガイドレール１３６、１３６の間に配設されたネジ棒１４４に螺合されている。ネジ棒１４４の両端部は、軸受部材１４６、１４６によって回動自在に支持されており、また、ネジ棒１４４の一方端には、第１ガイドレール１３６、１３６の一方端に設置された第１送りモータ１４８（図６）が連結されている。ネジ棒１４４は、第１送りモータ１４８を駆動することにより回動し、この結果、第１スライドテーブル１４０が第１ガイドレール１３６、１３６に沿って移動する。
【００３２】
第１スライドテーブル１４０上には、スライスベースＳからウェーハＷを剥離するための剥離ユニット１５０が設けられている。剥離ユニット１５０は、図３、５、６に示すように、第１スライドテーブル１４０上に軸受ブロック１５２が設けられている。軸受ブロック１５２には、揺動フレーム１５４の基端部に設けられた支軸１５６が揺動自在に支持されている。
【００３３】
第１スライドテーブル１４０上にはブラケット１５８を介して揺動用ロータリーアクチュエータ１６０が設置されており、揺動用ロータリーアクチュエータ１６０の出力軸には駆動ギア１６２が固着されている。駆動ギア１６２には、従動ギア１６４が噛合されており、従動ギア１６４は回転軸１６８の先端部に固着されている。回転軸１６８は軸受部材１７０によって回動自在に支持されており、軸受部材１７０は、揺動用ロータリーアクチュエータ１６０に固定された支持プレート１７２に支持されている。
【００３４】
従動ギア１６４には、円盤状に形成された回転プレート１７４（図５、６）が同軸上に固着されており、回転プレート１７４には、コネクティングロッド１７６の一方端がピン１７８によって連結されている。そして、コネクティングロッド１７６の他方端は、揺動フレーム１５４にピン１８０によって連結されている。
【００３５】
以上の構成により、揺動フレーム１５４は揺動用ロータリーアクチュエータ１６０を駆動することにより、その基端部に設けられた支軸１５６を中心に揺動する。すなわち、揺動用ロータリーアクチュエータ１６０を駆動すると回転プレート１７４が１８０°の範囲で往復回転し、その往復回転がコネクティングロッド１７６を介して揺動フレーム１５４に伝達され、揺動フレーム１５４が揺動する。
【００３６】
揺動フレーム１５４の上端部には、軸受ユニット１８２が設けられており、軸受ユニット１８２には二本の回転軸１８６、１８８が回動自在に支持されている。回転軸１８６、１８８の先端部には、それぞれアーム１９０、１９２が固着されており、アーム１９０、１９２の先端は、互いにピン１９４、１９６を介してパッド支持プレート１９８に連結されている。パッド支持プレート１９８には、所定の間隔をもって一対の第１及び第２剥離用吸着パッド２００、２０１が配設されており、第１及び第２剥離用吸着パッド２００、２０１はウェーハＷを真空吸着して保持する。
【００３７】
揺動フレーム１５４の背面部には、支持プレート２０２が取り付けられており、支持プレート２０２には昇降用ロータリーアクチュエータ２０４が設置されている。昇降用ロータリーアクチュエータ２０４の出力軸には、扇形状に形成された回転プレート２０６が固着されており、回転プレート２０６にはコネクティングロッド２０８の一方端がピン２１０によって連結されている。そして、コネクティングロッド２０８の他方端は、一方のアーム１９０にピン２１２によって連結されている。
【００３８】
以上の構成により、パッド支持プレート１９８に設けられた第１及び第２剥離用吸着パッド２００、２０１は、昇降用ロータリーアクチュエータ２０４を駆動することにより鉛直上方に昇降移動する。すなわち、昇降用ロータリーアクチュエータ２０４を駆動すると回転プレート２０６が１８０°の範囲で往復回転し、その往復回転がコネクティングロッド２０８を介してアーム１９０に伝達され、一方のアーム１９０が上下方向に往復角運動を行う。アーム１９０が往復角運動を行うと、他方側のアーム１９２も搖動テコとなって往復角運動を行い、この結果、パッド支持プレート１９８に設けられた第１及び第２剥離用吸着パッド２００、２０１が鉛直上方に持ち上げられる。
【００３９】
ウェーハＷを吸着保持する第１及び第２剥離用吸着パッド２００、２０１は、昇降用ロータリーアクチュエータ２０４が駆動することにより昇降移動する。また、第１及び第２剥離用吸着パッド２００、２０１が設けられているパッド支持プレート１９８は、アーム１９０、１９２を介して揺動フレーム１５４に接続されているので、揺動フレーム１５４が揺動することにより前後方向に揺動する。
【００４０】
すなわち、第１及び第２剥離用吸着パッド２００、２０１は、揺動用ロータリーアクチュエータ１６０が駆動することにより前後方向に揺動し、昇降用ロータリーアクチュエータ２０４が駆動することにより昇降移動する。そして、第１及び第２剥離用吸着パッド２００、２０１でスライスベースＳからウェーハＷを次のように剥離する。
【００４１】
熱水槽１１２内にセットされたウェーハＷの端面を第１及び第２剥離用吸着パッド２００、２０１で吸着保持する。次いで、揺動用ロータリーアクチュエータ１６０を駆動して第１及び第２剥離用吸着パッド２００、２０１を前後方向（ウェーハの軸線に沿った方向）に揺動させる。ここで、ウェーハＷとスライスベースＳとを接着している接着剤は、熱水１２０中に浸漬されているため十分に熱軟化している。このため、ウェーハＷは、複数回揺動が与えられることでスライスベースＳから剥離される。
【００４２】
ウェーハＷがスライスベースＳから剥離されると、昇降用ロータリーアクチュエータ２０４が駆動され、剥離したウェーハＷを保持した状態で第１及び第２剥離用吸着パッド２００、２０１が上方に向かって移動する。そして、所定の受渡位置で停止する。受渡位置に移送されたウェーハＷは受渡装置１１８に受け渡されたのち、受渡装置１１８によってシャトルコンベア３１２に移送され、該シャトルコンベア３１２によって次工程に搬送されていく。
【００４３】
一方、ウェーハＷの受け渡しが終了した第１及び第２剥離用吸着パッド２００、２０１は、昇降用ロータリーアクチュエータ２０４に駆動されて下方に移動し、元の剥離作業位置に復帰する。ウェーハＷは、その端面を第１及び第２剥離用吸着パッド２００、２０１によって揺動を与えることによりスライスベースＳから剥離されるが、ウェーハＷの中には第１及び第２剥離用吸着パッド２００、２０１で揺動を与えられる前から、スライスベースＳから剥離してしまっているものもある。
【００４４】
この場合、ウェーハＷが前方に倒れて回収不能になるおそれがある。このため、剥離するウェーハＷの前方位置には、ウェーハＷが前方に倒れるのを防止するための倒止板２１４が配設されている。倒止板２１４は、昇降用ロータリーアクチュエータ２０４が設置された支持プレート２０２に設けられており、第１及び第２剥離用吸着パッド２００、２０１と共に揺動する。
【００４５】
第１及び第２剥離用吸着パッド２００、２０１は、倒止板２１４に形成された通路２１４ａを通って昇降移動する。また、倒止板２１４の上部には、２枚取り防止板２１６が固着されており、スライスベースＳから剥離されたウェーハＷは、２枚取り防止板２１６に形成されたスリット２１６ａを通って所定の受渡位置まで移送される。スリット２１６ａは、ウェーハＷが丁度１枚通れる幅（例えば、ウェーハＷの厚さの１．１〜１．５倍の幅）で形成されており、これにより、ウェーハが２枚同時に剥離されたような場合に、その２枚のウェーハが互いに貼りついて２枚同時に受渡位置まで移送されることを防止することができる。具体的には、スリット２１６ａの幅は、ウェーハＷの厚さの１．１〜１．５倍の幅とすることで、２枚同時の移送を防ぐと共に、表面の傷付き防止を図ることができる。
【００４６】
これにより、スライスベースから２枚のウェーハが同時に剥離され、互いに貼りついた場合であっても、２枚取り防止板２１６のスリット２１６ａを通過する際に、その１枚目のウェーハに貼りついた２枚目のウェーハが、スリット２１６ａを通過できずに落下するので、常に１枚ずつ受渡位置に移送することができる。なお、この場合、スリット２１６ａを通過できずに落下したウェーハは、倒止板２１４によって前方に倒れるのを防止されるので、次回の剥離時に確実に回収することができる。
【００４７】
次に、受渡装置１１８の概略構成について説明する。受渡装置１１８は、剥離装置１１４の第１剥離用吸着パッド２００によってスライスベースＳから剥離されたウェーハＷを第１剥離用吸着パッド２００から受け取り、シャトルコンベア３１２に受け渡す装置である。受渡装置１１８は、図２、４及び図７、８、９に示すように、駆動ユニット２２２の第２スライドテーブル２４０上に設けられており、第２送りモータ２４８を駆動することにより、第２ガイドレール２３６、２３６に沿って移動する。
【００４８】
駆動ユニット２２２の第２スライドテーブル２４０上には、支柱２７４が垂直に立設されている。この支柱２７４の頂部には、支持フレーム２７６が垂直に立設されており、支持フレーム２７６には旋回用ロータリーアクチュエータ２７８が水平に設置されている。旋回用ロータリーアクチュエータ２７８の出力軸には駆動ギア２８０が噛合されており、駆動ギア２８０には旋回軸２８４に固着された従動ギア２８２が噛合されている。旋回軸２８４は、支持フレーム２７６の頂部に設置された軸受ユニット２８６に回動自在に支持されており、旋回用ロータリーアクチュエータ２７８を駆動することにより１８０°の範囲で回動する。
【００４９】
旋回軸２８４の基端部には、旋回フレーム２８８が固着されており、旋回フレーム２８８には回転軸２９０が回動自在に支持されている。回転軸２９０の基端部には、旋回フレーム２８８に設置された方向転換用ロータリーアクチュエータ２９２の出力軸が固着されており、方向転換用ロータリーアクチュエータ２９２を駆動することにより、９０°の範囲で回動する。
【００５０】
回転軸２９０の先端部には、Ｌ字状に形成された旋回アーム２９４が固着されており、旋回アーム２９４の先端部には支持プレート２９６が固着されている。支持プレート２９６にはパッド進退用シリンダ２９８が設けられており、パッド進退用シリンダ２９８のロッド先端部には、受渡用吸着パッド３００が設けられている。剥離装置１１４の第１及び第２剥離用吸着パッド２００、２０１によって剥離されたウェーハＷは、所定の受渡位置まで搬送されたのち、受渡用吸着パッド３００に受け渡される。
【００５１】
受渡装置１１８において、受渡用吸着パッド３００に吸着保持されたウェーハＷは、旋回用ロータリーアクチュエータ２７８を駆動することにより、垂直面上を１８０°の範囲で旋回し、方向転換用ロータリーアクチュエータ２９２を駆動することにより、垂直状態から水平状態に方向転換される。
【００５２】
剥離装置１１４で剥離したウェーハＷの受け取り、及び、その受け取ったウェーハＷのシャトルコンベア３１２上への受け渡しは、次のように行う。スライスベースＳから剥離されたウェーハＷは、第１及び第２剥離用吸着パッド２００、２０１に吸着保持された状態で上昇して所定の受渡位置に移送される。受渡位置には、すでに受渡用吸着パッド３００が待機しており、ウェーハＷは、受渡用吸着パッド３００の軸心と同軸上に位置する。
【００５３】
ウェーハＷが受渡位置に移送されると、次いで、パッド進退用シリンダ２９８が駆動されて、受渡用吸着パッド３００がウェーハＷに向かって所定量前進する。この結果、ウェーハＷの端面に受渡用吸着パッド３００が密着する。次に、受渡用吸着パッド３００が駆動され、受渡用吸着パッド３００によってウェーハＷが吸着保持される。受渡用吸着パッド３００にウェーハＷが吸着保持されたことが受渡用吸着パッド３００側に設けられた圧力スイッチ（図示せず）によって検知される。そして、この検知信号によって、第１剥離用吸着パッド２００の真空吸着が解除、つまり空気が流入される。これにより、ウェーハＷが第１剥離用吸着パッド２００から受渡用吸着パッド３００に受け渡される。なお、第２剥離用吸着パッド２０１の真空吸着の解除は、第１剥離用吸着パッド２００の解除と同時でも良い。ただし、ウェーハＷが上昇する前、あるいは受渡位置に移送される前に解除しても良く、その方がウェーハＷの姿勢が安定する。
【００５４】
ウェーハＷを受け取った受渡用吸着パッド３００は、圧力スイッチによる検知信号によってパッド進退用シリンダ２９８の駆動を開始し、第１剥離用吸着パッド２００から後退する。同様に、ウェーハＷを受け渡した第１剥離用吸着パッド２００は、圧力スイッチによる検知信号によって下降を開始して元の剥離作業位置に復帰する。受渡用吸着パッド３００が後退すると、次いで、旋回用ロータリーアクチュエータ２７８が駆動されて、旋回アーム２９４が１８０°旋回する。この結果、ウェーハＷがシャトルコンベア３１２の上方位置に移送される。
【００５５】
シャトルコンベア３１２の上方に移送されたウェーハＷは、シャトルコンベア３１２に対して直交した状態にあるので、移送後、方向転換用ロータリーアクチュエータ２９２が駆動されて、旋回アーム２９４が回転軸２９０を中心に９０°回転する。この結果、ウェーハＷがシャトルコンベア３１２から所定高さの位置に水平な状態で位置する。
【００５６】
方向転換用ロータリーアクチュエータ２９２の駆動後、パッド進退用シリンダ２９８が駆動されて、受渡用吸着パッド３００がシャトルコンベア３１２に向かって所定量前進する。この結果、ウェーハＷが、シャトルコンベア３１２上に載置される。ウェーハＷが、シャトルコンベア３１２上に載置されると、受渡用吸着パッド３００の駆動が停止される。そして、パッド進退用シリンダ２９８が駆動されて受渡用吸着パッド３００がシャトルコンベア３１２から後退する。
【００５７】
ウェーハＷの受渡作業の終了後、受渡用吸着パッド３００は、上記と逆の動作で元の受渡位置に復帰する。一方、ウェーハＷが受け渡されたシャトルコンベア３１２は、図示しない駆動手段に駆動されて、その受け渡されたウェーハＷを次工程に搬送する。なお、このウェーハ剥離枚葉部１００の駆動は、全て図示しない制御装置によって自動制御されており、この制御装置から出力される駆動信号に基づいて各構成装置が作動する。
【００５８】
次に、ウェーハ剥離枚葉部１００におけるウェーハの剥離方法の詳細について説明する。始動前の状態において、剥離ユニット１５０が設置された第１スライドテーブル１４０は、第１ガイドレール１３６の一方端（図２において下端）に位置している（この位置を剥離作業開始位置という。）。一方、受渡装置１１８が設置された第２スライドテーブル２４０は、第２ガイドレール２３６の他方端（図２において上端）に位置している。
【００５９】
ワイヤソーでマルチ切断されたウェーハＷを熱水槽１１２内に設けられたワーク保持部１２２にセットする。これにより、ウェーハＷが接着されたスライスベースＳが熱水槽１１２内に貯留された熱水１２０中に浸漬される。なお、ウェーハＷのセッティングは、オペレータが手動で行ってもよいし、図示しないマニピュレータによって自動でワーク保持部１２２に搬送して、自動でセットするようにしてもよい。
【００６０】
ウェーハＷが熱水槽１１２内にセットされると、制御装置は、まず、第２送りモータ２４８を駆動して第２スライドテーブル２４０を図２中で下側に向けて移動させる。次に、その第２スライドテーブル２４０を所定の受渡作業の開始位置に位置させる。そして、第２スライドテーブル２４０が受渡作業の開始位置に位置したところで、ウェーハＷの剥離作業が開始される。
【００６１】
次に、制御装置は、第１送りモータ１４８と第２送りモータ２４８を同期させて駆動し、第１スライドテーブル１４０と第２スライドテーブル２４０を前進させる（図２中上方向に移動させる）。第１スライドテーブル１４０上に設けられた剥離装置１１４のパッド支持プレート１９８には、非接触式の位置センサ２１４Ｓが設けられており、位置センサ２１４Ｓは、ウェーハＷの端面までの距離が所定距離に達すると作動する。
【００６２】
制御装置は、位置センサ２１４Ｓの作動信号を入力することにより、第１送りモータ１４８と第２送りモータ２４８の駆動を停止し、第１スライドテーブル１４０と第２スライドテーブル２４０とを停止させる。この結果、第１スライドテーブル１４０上に設けられた剥離装置１１４の第１及び第２剥離用吸着パッド２００、２０１がウェーハＷの端面に当接する。制御装置は、ウェーハＷの端面に当接した第１及び第２剥離用吸着パッド２００、２０１を駆動し、第１及び第２剥離用吸着パッド２００、２０１にウェーハＷを吸着保持させる。
【００６３】
図１０は、剥離用吸着部の詳細を示す要部の拡大側面図、図１１は、拡大正面図である。倒止板２１４は、ウェーハＷの端面側が基準面となり、表面を保護する樹脂製の押し当て板２１４−１、反対側が押し当て板２１４−１の平面度を確保するためステンレス製のステンレスプレート２１４−２となっている。また、第１剥離用吸着パッド２００は、その中心軸がウェーハＷの中心軸と一致するように配置され、第２剥離用吸着パッド２０１は第１剥離用吸着パッド２００より下側に配置される。なお、第１剥離用吸着パッド２００は、表面がフラットなワークの搬送に適した平形真空パッドであり、第２剥離用吸着パッド２０１より吸着力が強くなっている。また、第２剥離用吸着パッド２０１は、軸方向に伸縮するじゃばら形状のベローズ型真空吸着パッドである。
【００６４】
ウェーハＷは、接着剤によりスライスベースＳと接着され、マウンティングプレートＭに対して上側になるように配置させられたのち、熱水槽１１２のワーク保持部１２２にセットされている。ここで、ウェーハＷとスライスベースＳとを接着している接着剤は、熱水１２０中に浸漬されているため十分に熱軟化している。スライスベースＳの横にはエアー供給機構が設けられ、エアノズル８０、８１がウェーハＷの下側両側面に設けられている。そして、エアノズル８０、８１は、ウェーハＷの側面２方向より下側から上側に向かってエアーをブロー供給する、つまりエアーを勢いよく吹き付けるように設置されている。また、ウェーハＷの鉛直上方でウェーハ中央部付近には水供給ノズル（図示せず）が設けられる。
【００６５】
第１及び第２剥離用吸着パッド２００、２０１によるウェーハＷの吸着保持は、次のように行われる。まず、ウェーハＷの端面に第２剥離用吸着パッド２０１が当接する。第２剥離用吸着パッド２０１は、ウェーハＷの中心軸より下側でベローズ型真空吸着パッドとされているので、接着部近傍を中心としてウェーハＷの根本を倒止板２１４側へ引き寄せる。これにより、剥離作業が確実に、かつ効率良く開始される。
【００６６】
図１２は、剥離作業の作用の説明図であり、ウェーハＷを１枚剥離する際に、複数枚に対してエアノズル８０、８１から矢印Ｆ、Ｇに示すようにウェーハＷの両側面において、下側から上側に向かってエアーをブロー供給する。
【００６７】
具体的には図１２で剥離する最左端の１枚目となるウェーハＷに対して、少なくとも１枚目と２枚目との間にエアーをブロー供給する。なお、さらに２枚目と３枚目との間、３枚目と４枚目との間にもエアーをブロー供給することが効率良く剥離する上で望ましい。ただし、数枚の剥離作業を行っている内にウェーハＷとスライスベースＳとを接着している接着剤は、熱水１２０中に浸漬されているため十分に熱軟化して行くので、剥離作業の進行と共に、同時にブロー供給する枚数を減らしても良い。
【００６８】
一方、ウェーハＷの鉛直上方で中心付近から矢印Ｈに示すように熱水又は水を供給することで、中央から水が供給され、中央は必ず一定の隙間を確保するようにできる。そして、ウェーハＷの両側面からエアーを流すことで両サイドの隙間をバランス良く保つことができ、ウェーハ間をきれいに縁切りできる。
【００６９】
つまり、エアーを供給することで水膜が除去され、ウェーハＷ間が水の表面張力で貼りつくことを防いで縁切りし、１枚のウェーハＷを持ち上げた際に次のウェーハが連れ立って持ち上げられることを防止することができる。また、複数枚に対してエアーをブロー供給、特に、１枚目と２枚目との間及び２枚目と３枚目との間にエアーをブロー供給することで、持ち上げたウェーハＷの次の待機ウェーハＷ（２枚目）とその次にある待機ウェーハＷ（３枚目）の密着も回避できる。これにより、剥離作業を順次継続する上で、効率を向上することができる。
【００７０】
第２剥離用吸着パッド２０１により、ウェーハＷを倒止板２１４側へ引き寄せた後は、表面がフラットな平形真空パッドである第１剥離用吸着パッド２００により、ウェーハＷの中心軸をしっかりと吸着する。したがって、ウェーハＷの搬送に適した状態、短時間でウェーハＷのハンドリングが可能となり、途中で落下等の恐れも無くすことができる。
【００７１】
次に、制御装置は、揺動用ロータリーアクチュエータ１６０を駆動して揺動フレーム１５４を前後に揺動させ、第１及び第２剥離用吸着パッド２００、２０１を前後（ウェーハの軸線に沿った方向）に揺動させる。また、第１及び第２剥離用吸着パッド２００、２０１は、ウェーハＷとスライスベースＳとの接着部近傍を揺動中心として揺動している。このため、ウェーハＷは、第１及び第２剥離用吸着パッド２００、２０１によって複数回揺動が与えられ、簡単にスライスベースＳから剥離される。また、引きはがし時に前後の揺動により、ウェーハＷを根元から剥離し、全体として効率良く剥離することが可能となる。
【００７２】
制御装置は、第１及び第２剥離用吸着パッド２００、２０１を所定回数揺動させたところで揺動用ロータリーアクチュエータ１６０の駆動を停止する。次いで、昇降用ロータリーアクチュエータ２０４を駆動してアーム１９０、１９２を上方に旋回させ、第１及び第２剥離用吸着パッド２００、２０１を上方に移動させる。この際、第１剥離用吸着パッド２００により、ウェーハＷの中心軸がしっかりと固定されている。
【００７３】
第１剥離用吸着パッド２００に吸着保持されたウェーハＷは、摺動性が良い樹脂製（例えば、フッ素樹脂）の押し当て板２１４−１にガイドされて、倒止板２１４の上部に固着された２枚取り防止板２１６のスリット２１６ａ（図３）を通過する。これにより、２枚取りが防止される。
【００７４】
すなわち、主に第１剥離用吸着パッド２００で吸着保持したウェーハＷに、次に剥離するウェーハＷが貼りついてきた場合であっても、スリット２１６ａを通過する際に、貼りついてきたウェーハＷがスリット２１６ａを通過する際に剥がされるので、常に第１剥離用吸着パッド２００で吸着しているウェーハＷ１枚のみを取り出すことができる。
【００７５】
また、スリット２１６ａを通過できずに落下したウェーハは、倒止板２１４によって前方に倒れるのを防止されるので、次回の剥離時に確実に回収される。このとき、ウェーハＷの端面側は、非常に高い表面潤滑性を持った樹脂製（例えば、フッ素樹脂）の押し当て板２１４−１に当接するので、傷付きが防止される。
【００７６】
上方に移動した第１及び第２剥離用吸着パッド２００、２０１は、図８の鎖線位置を受渡位置として停止する。受渡位置には、受渡装置１１８の受渡用吸着パッド３００が待機しており、ウェーハＷの中心軸をしっかりと吸着した第１剥離用吸着パッド２００に端面が吸着保持されたウェーハＷは、受渡用吸着パッド３００の軸心と同軸上に位置する。
【００７７】
受渡位置は、受渡用吸着パッド３００が略水平（図８で旋回アーム２９４が水平となる位置）となる位置であり、かつウェーハＷは鉛直状態のままであるので、重力によるウェーハたわみの影響を受け難い位置である。また、受け渡した後、吸着パッド２００、２０１が次のウェーハＷの引き剥がし動作にすぐ戻ることが可能で効率良い剥離作業が順次継続できる。
【００７８】
制御装置は、第１及び第２剥離用吸着パッド２００、２０１が所定の受渡位置で停止すると、パッド進退用シリンダ２９８を駆動して、受渡用吸着パッド３００をウェーハＷに向かって所定量前進させる。この結果、第１剥離用吸着パッド２００に吸着されたウェーハＷの端面に対して裏面に受渡用吸着パッド３００が密着する。そして、ウェーハＷは、第１剥離用吸着パッド２００側の端面と共に裏面も受渡用吸着パッド３００によってウェーハＷが吸着保持される。
【００７９】
受渡用吸着パッド３００にウェーハＷが吸着保持されたことが受渡用吸着パッド３００側に設けられた圧力スイッチ（図示せず）によって検知される。そしてこの検知信号によって、第１及び第２剥離用吸着パッド２００、２０１の真空吸着が解除、つまり空気が流入される。受渡用吸着パッド３００は、第１剥離用吸着パッド２００と同様に表面がフラットな平形真空パッドであり、ウェーハＷの中心軸をしっかりと吸着する。これにより、ウェーハＷは第１剥離用吸着パッド２００から受渡用吸着パッド３００に受け渡され、受渡用吸着パッド３００でウェーハＷの中心軸をしっかりと吸着する。したがって、ウェーハＷの搬送に適した状態でハンドリングが可能となり、途中で落下等の恐れも無くすことができる。
【００８０】
次いで、制御装置は、パッド進退用シリンダ２９８を駆動して、受渡用吸着パッド３００を第１剥離用吸着パッド２００から後退させる。受渡用吸着パッド３００の後退と共に、制御装置は、昇降用ロータリーアクチュエータ２０４を駆動してアーム１９０、１９２を下方に旋回させ、第１及び第２剥離用吸着パッド２００、２０１を下方に移動させて、元の剥離作業位置に復帰させる。
【００８１】
一方、制御装置はパッド進退用シリンダ２９８の駆動後、旋回用ロータリーアクチュエータ２７８を駆動して、旋回アーム２９４を１８０°旋回させ、ウェーハＷをシャトルコンベア３１２の上方位置に移送する。そして、移送後、方向転換用ロータリーアクチュエータ２９２を駆動する。旋回アーム２９４は、回転軸２９０を中心に９０°回転する。
【００８２】
これにより、ウェーハＷの両端面がシャトルコンベア３１２に対して平行な状態になる。制御装置は、パッド進退用シリンダ２９８を駆動して、受渡用吸着パッド３００をシャトルコンベア３１２に向けて前進させる。この結果、ウェーハＷが、シャトルコンベア３１２上に載置される。次いで、制御装置は、受渡用吸着パッド３００の駆動を停止して、ウェーハＷをシャトルコンベア３１２に受け渡す。
【００８３】
受渡用吸着パッド３００の駆動を停止したのち、制御装置は、パッド進退用シリンダ２９８を駆動して受渡用吸着パッド３００をシャトルコンベア３１２から後退させると共に、シャトルコンベア３１２を駆動してウェーハＷを次工程に搬送する。また、制御装置は、パッド進退用シリンダ２９８を駆動後、方向転換用ロータリーアクチュエータ２９２及び旋回用ロータリーアクチュエータ２７８を駆動して受渡用吸着パッド３００を元の受渡位置に復帰させる。
【００８４】
受渡用吸着パッド３００が受渡位置に復帰するまでに、吸着パッド２００、２０１が次のウェーハＷの引き剥がし動作を行っているので、２枚目のウェーハＷの剥離作業が完了している。したがって、無駄な時間を少なくして効率良い剥離作業が順次継続される。
【００８５】
つまり、一連の工程で１枚目のウェーハＷの受け渡しが終了し、受渡用吸着パッド３００の後退と共に、吸着パッド２００、２０１を元の剥離作業位置に復帰させる。そして、制御装置は、第１送りモータ１４８と第２送りモータ２４８を同期させて駆動し、第１スライドテーブル１４０と第２スライドテーブル２４０を所定量前進させる。これにより、第１及び第２剥離用吸着パッド２００、２０１が、２枚目に剥離するウェーハＷの端面に当接する。制御装置は、２枚目のウェーハＷを上記同様の方法で剥離する。
【００８６】
以上のようにしてスライスベースＳに接着されているウェーハＷを順次剥離し、次工程に搬送して行き、１サイクルの剥離作業が終了する。次に、搬送部３１０は、ウェーハ剥離枚葉部１００で剥離、枚葉したウェーハＷを受け取り、次の枚葉洗浄部３５０に搬送する。そして、搬送部３１０には、シャトルコンベア３１２が備えられており、シャトルコンベア３１２によってウェーハＷを枚葉洗浄部３５０に搬送する。
【００８７】
枚葉洗浄部３５０は、ウェーハ剥離枚葉部１００で剥離枚葉されたウェーハＷを１枚ずつ枚葉洗浄する。この枚葉洗浄部３５０は、枚葉ブラシ洗浄部３５２と枚葉プレリンス部３５４と枚葉リンス部３５６とから構成されている。
【００８８】
図１３は枚葉洗浄部３５０の構成を示す側面図であり、枚葉ブラシ洗浄部３５２は、チャンバー構造の洗浄槽を有しており（図示せず）、洗浄槽内には、図１３に示すように、一対の回転ブラシ３７８、３７８と、洗浄液を流す一対の洗浄液ノズル３８０、３８０と、二対のウェーハ搬送用のローラコンベア３８２、３８２、３８２、３８２と、液切り用の一対のエアーナイフノズル３８４、３８４が配設されている。
【００８９】
枚葉ブラシ洗浄部３５２では、搬送部３１０のシャトルコンベア３１２によって搬送されてきたウェーハＷの裏表面に洗浄液ノズル３８０、３８０から洗浄液をかけながら回転ブラシ３７８、３７８によってブラシ洗浄する。洗浄後は、洗浄液を次工程に持ち込まないようにするために、エアーナイフノズル３８４、３８４から圧縮エアーを噴射して液切りする。そして、ブラシ洗浄が終了したウェーハＷは、ローラコンベア３８２によって次工程の枚葉プレリンス部３５４に搬送する。
【００９０】
枚葉プレリンス部３５４は、枚葉ブラシ洗浄部３５２と同様の構成を有している。枚葉プレリンス部３５４では、枚葉ブラシ洗浄部３５２のローラコンベア３８２によって搬送されてきたウェーハの裏表面にプレリンス液ノズルからプレリンス液をかけながら回転ブラシによってブラシ洗浄する。洗浄後は、圧縮エアーを噴射して液切りする。そして、ブラシ洗浄が終了したウェーハＷは、ローラコンベアによって次工程の枚葉リンス部３５６に搬送される。
【００９１】
枚葉リンス部３５６も枚葉ブラシ洗浄部３５２とほぼ同様の構成を有している。枚葉リンス部３５６では、枚葉リンス洗浄部のローラコンベアによって搬送されてきたウェーハの裏表面にリンス液ノズルからリンス液をかけながら回転ブラシによってブラシ洗浄する。洗浄後は、ウェーハＷは、ローラコンベアによって次の検出部４００に搬送される。
【００９２】
検出部４００は、洗浄の終了したウェーハＷについて１枚１枚、割れ、欠け、及び接着剤残りの有無を検出すると共に、１枚１枚厚さを測定する。検出部４００は、枚葉洗浄部３５０で洗浄が終了したウェーハＷを所定の受取位置まで搬送するための搬送ユニット４０２と、その受取位置に搬送されてきたウェーハＷを所定の検出位置まで持ち上げて回転させる回転駆動ユニットと、回転駆動ユニットによって回転させられたウェーハＷの厚さを測定する厚さ測定ユニットと、回転駆動ユニットによって回転させられたウェーハＷの割れ、欠け、接着剤残りを検出する不良ウェーハ検出ユニットと、検出が終了したウェーハＷを次の回収部５００のウェーハ搬送ロボットに受け渡すための受渡ユニットとから構成されている。
【００９３】
図１４は、搬送ユニット４０２の構成を示す平面図であり、搬送ユニット４０２は、丸ベルトコンベア４１１を備えている。丸ベルトコンベア４１１は、枚葉洗浄部３５０の終端部に連設されている。この丸ベルトコンベア４１１の両側部には、一対のガイド部材４１１ａ、４１１ａが配設されており、このガイド部材４１１ａ、４１１ａによってウェーハＷが直進するようにガイドされる。
【００９４】
丸ベルトコンベア４１１の終端位置には、図１４に示すように、５本の位置決めピン４１２、４１２、…が円弧をなすように配設されており、位置決めピン４１２、４１２、…に丸ベルトコンベア４１１によって搬送されてきたウェーハＷが当接することにより、ウェーハＷが所定の受取位置に位置決めされる。また、位置決めピン４１２、４１２…にウェーハＷが当接すると、図示しないセンサが作動し、このセンサが作動することにより、丸ベルトコンベア４１１の駆動が停止される。そして、検出が終了したウェーハＷは、回収部５００のウェーハ搬送ロボット５０８に受け渡される。
【００９５】
図１５は、回収部５００の構成を示す平面図であり、ウェーハ回収部５０２Ａ、５０２Ｂには、それぞれ上下二段式のカセットホルダーが備えられている（図示せず）。カセットホルダーは図示しないカセット位置決め機構によって昇降移動自在に支持されており、ウェーハＷを回収するウェーハ回収カセット５１０Ａ、５１０Ｂは、このカセットホルダーに二台ずつセットされる。
【００９６】
不良ウェーハ回収部５０４及び接着剤残りウェーハ回収部５０６もウェーハ回収部５０２Ａ、５０２Ｂと同様に、それぞれ図示しないカセットホルダーを備えており、カセットホルダーは、図示しないカセット位置決め機構によって昇降移動自在に支持されている。そして、このカセットホルダーに不良ウェーハＷを回収する不良ウェーハ回収カセット５１２と、接着剤残りウェーハＷを回収する接着剤残りウェーハ回収カセット５１４がセットされる。
【００９７】
また、ウェーハＷが１枚収納されると、図示しないカセット位置決め機構が駆動されて、仕切一段分ウェーハ回収カセット５１０Ａが上昇する。本実施の形態のウェーハ剥離洗浄装置１は、以上のように構成される。なお、このウェーハ剥離洗浄装置１を構成する各機器は、全て図示しない制御装置に駆動制御されており、この制御装置が出力する駆動信号に基づいて作動する。
【００９８】
以上説明したウェーハ剥離洗浄装置１は、通常の切断方式（一回の切断に対して一本のインゴットのみを切断する方式）で切断されたスライスドウェーハの剥離、洗浄を行う場合である。ワイヤソーで切断されたバッチ状態のウェーハＷは、図示しない搬送装置によって、ウェーハ剥離洗浄装置１まで搬送される。
【００９９】
そして、ウェーハ剥離洗浄装置１に備えられた図示しないリフターに搭載される。リフターに搭載されたウェーハＷは、まず、リフターによって粗洗浄部１０に搬送される。そして、そこでシャワー洗浄され、切断時に付着したスラリが除去される。粗洗浄部１０におけるシャワー洗浄は、リフターに搭載されたまま行われ、シャワー洗浄が終了すると、ウェーハは、ウェーハ剥離枚葉部１００に搬送される。
【０１００】
ウェーハ剥離枚葉部１００に搬送されたウェーハＷは、まず、リフターに備えられた反転機構によって上下が反転させられたのち（ウェーハＷがマウンティングプレートＭに対して上側になるように配置させられたのち）、熱水槽１１２のワーク保持部１２２にセットされる。ワーク保持部１２２にセットされたウェーハＷは、第１及び第２剥離用吸着パッド２００、２０１によって１枚ずつスライスベースＳから剥離され、剥離されたウェーハＷは、順次、搬送部３１０のシャトルコンベア３１２に移送される。そして、このシャトルコンベア３１２によって枚葉洗浄部３５０に搬送される。
【０１０１】
上記の作業をスライスベースＳから剥離したウェーハＷ１枚１枚に対して行い、全てのウェーハＷがカセットに収納された時点で作業が終了する。終了後、各装置は、始動前の状態に復帰する。
【０１０２】
ウェーハ剥離洗浄装置１は、マルチ切断方式（一回の切断に対して種類の異なるインゴットを同時に切断する方式）で切断されたスライスドウェーハの剥離、洗浄を行うことができる。マルチ切断方式によって切断されたウェーハの剥離、洗浄を行う場合について説明する。
【０１０３】
マルチ切断方式によって切断されたウェーハは、ウェーハの種類ごとに回収する必要があるので、次のように処理される。なお、ウェーハ剥離枚葉部１００に搬送されるまでの工程は、上述した通常の切断方式によって切断されたウェーハと同じである。
【０１０４】
マルチ切断されたウェーハＷが、ウェーハ剥離枚葉部１００のワーク保持部１２２にセットされると、各ウェーハＷのロット間に仕切装置の仕切板（図示せず）がセットされる。そして、仕切板がセットされたところで、第１剥離用吸着パッド２００による剥離作業が開始される。剥離作業は、まず、第１ロットのウェーハＷから行われ、剥離されたウェーハＷは、順次、搬送部３１０のシャトルコンベア３１２上に移送される。
【０１０５】
第１ロットのウェーハＷの剥離が全て終了すると、第１ロットと第２ロット間に挿入された第１仕切板（図示せず）が検出される。第１仕切板が検出されると、制御装置は、以後剥離されるウェーハは、第２ロットのウェーハＷと判断する。これにより、ロットごとにウェーハを分別することができ、種類の異なるウェーハを混入させることなくウェーハを回収することができる。
【０１０６】
また、第２ロットのウェーハＷの剥離が全て終了すると、第２ロットと第３ロット間に挿入された第２仕切板（図示せず）が検出され、制御装置は、第２仕切板を検出する。以後、剥離されるウェーハは、第３ロットのウェーハＷと判断する。
【０１０７】
以上によれば、ウェーハ剥離枚葉部１００において、ウェーハの端面を剥離用吸着パッドで吸着保持して１枚ずつ剥離する際に、エアノズルによりエアーをブロー供給するので、バッチ状態のウェーハの隙間をバランス良く確保し、ウェーハへのダメージをなくして、１枚だけを効率的に持ち上げることができる。そして、その後、搬送部３１０、枚葉洗浄部３５０、検出部４００及び回収部５００の工程を円滑に進行でき、効率の良いウェーハ剥離洗浄装置１を提供できる。
【符号の説明】
【０１０８】
１…ウェーハ剥離洗浄装置、１０…粗洗浄部、１２…粗洗浄装置、１００…ウェーハ剥離枚葉部、３１０…搬送部、３５０…枚葉洗浄部、４００…検出部、５００…回収部
１１２…熱水槽、１１４…剥離装置、１１８…受渡装置、１２０  熱水、
１２２…ワーク保持部、３１２…シャトルコンベア、３５２…枚葉ブラシ洗浄部、３５４…枚葉プレリンス部、３５６…枚葉リンス部、４０２…搬送ユニット、５０８…ウェーハ搬送ロボット、
１３６…第１ガイドレール、１３８…リニアガイド、１４０…第１スライドテーブル、１４２…ナット部材、１４４…ネジ棒、１４８…第１送りモータ、
１５０…剥離ユニット
１５２…軸受ブロック、１５４…揺動フレーム、１６０…揺動用ロータリーアクチュエータ、１６２…駆動ギア、１６４…従動ギア、１６８…回転軸、１７０…軸受部材、１７２…支持プレート、１７４…回転プレート、１７６…コネクティングロッド、１７８、１８０、１９４、１９６、２１０，２１２…ピン、１８２…軸受ユニット、１８６、１８８…回転軸、１９０、１９２…アーム、１９８…パッド支持プレート、２００…第１剥離用吸着パッド、２０１…第２剥離用吸着パッド、２０２…支持プレート、２０４…昇降用ロータリーアクチュエータ、２０６…回転プレート、２０８…コネクティングロッド、２１４…倒止板、２１４ａ…通路、２１４Ｓ…位置センサ、２１４−１…押し当て板、２１４−２…ステンレスプレート、８０、８１…エアノズル、２１６…２枚取り防止板、２１６ａ…スリット、
２２２…駆動ユニット、２４０…第２スライドテーブル、２４８…第２送りモータ、２３６…第２ガイドレール、２７４…支柱、２７６…支持フレーム、２７８…旋回用ロータリーアクチュエータ、２８０…駆動ギア、２８４…旋回軸、２８２…従動ギア、２８６…軸受ユニット、２８８…旋回フレーム、２９０…回転軸、２９２…方向転換用ロータリーアクチュエータ、２９４…旋回アーム、２９６…支持プレート、２９８…パッド進退用シリンダ、３００…受渡用吸着パッド、
３７８…回転ブラシ、３８０…洗浄液ノズル、３８２…ローラコンベア、３８４…エアーナイフノズル、
４０２…搬送ユニット
４１１…丸ベルトコンベア、４１１ａ…ガイド部材、４１２…位置決めピン、
５０２，５０２Ａ、５０２Ｂ…ウェーハ回収部、５１０Ａ、５１０Ｂ…ウェーハ回収カセット、５０４…不良ウェーハ回収部、５０６…接着剤残りウェーハ回収部、５１４…接着剤残りウェーハ回収カセット、
Ｍ…マウンティングプレート、Ｓ…スライスベース、Ｗ…ウェーハ
【図１】
2020120094.tif 000003
【図２】
2020120094.tif 000004
【図３】
2020120094.tif 000005
【図４】
2020120094.tif 000006
【図５】
2020120094.tif 000007
【図６】
2020120094.tif 000008
【図７】
2020120094.tif 000009
【図８】
2020120094.tif 000010
【図９】
2020120094.tif 000011
【図１０】
2020120094.tif 000012
【図１１】
2020120094.tif 000013
【図１２】
2020120094.tif 000014
【図１３】
2020120094.tif 000015
【図１４】
2020120094.tif 000016
【図１５】
2020120094.tif 000017
【手続補正書】
【提出日】平成31年4月26日(2019.4.26)
【手続補正１】
【補正対象書類名】特許請求の範囲
【補正対象項目名】全文
【補正方法】変更
【補正の内容】
【特許請求の範囲】
【請求項１】
多数枚同時に切断されたバッチ状態のウェーハをウェーハ剥離枚葉部において１枚ずつスライスベースから剥離して枚葉化し、剥離した前記ウェーハを受渡位置で受渡装置に受け渡し、該受渡装置により枚葉洗浄部に搬送して枚葉洗浄し、洗浄後、回収部でカセットに回収するウェーハ剥離洗浄装置において、
前記ウェーハの端面を吸着保持する剥離用吸着パッドと、上部にスリットが形成された前記ウェーハが倒れることを防止するための倒止板と、を有した前記ウェーハ剥離枚葉部と、
前記ウェーハを１枚ずつ剥離する際に、前記ウェーハの鉛直上方で中心付近から熱水又は水を供給するための水供給ノズルと、
前記ウェーハ剥離枚葉部で剥離された前記ウェーハを前記剥離用吸着パッドから受け取る受渡用吸着パッドと、該受渡用吸着パッドに前記ウェーハが吸着保持されたこと検知する圧力スイッチと、を有した前記受渡装置と、
前記圧力スイッチによる検知信号によって、前記剥離用吸着パッドの真空吸着を解除すると共に、前記受渡用吸着パッドの前記剥離用吸着パッドから後退及び前記剥離用吸着パッドの下降を開始する制御装置と、
を備えたことを特徴とするウェーハ剥離洗浄装置。
【請求項２】
前記倒止板は、前記ウェーハの端面側に樹脂製の押し当て板を設けたことを特徴とする請求項１に記載のウェーハ剥離洗浄装置。
【請求項３】
前記押し当て板の反対側にステンレス製のステンレスプレートを設けたことを特徴とする請求項２に記載のウェーハ剥離洗浄装置。
【請求項４】
前記剥離用吸着パッドに吸着保持された前記ウェーハは、前記押し当て板にガイドされて、前記スリットを通過して前記受渡位置で停止することを特徴とする請求項２または３に記載のウェーハ剥離洗浄装置。
【請求項５】
前記受渡用吸着パッド及び前記剥離用吸着パッドは平形真空パッドとされることを特徴とする請求項１から４のいずれか１項に記載のウェーハ剥離洗浄装置。
【請求項６】
前記スリットの幅は、前記ウェーハの厚さの１．１〜１．５倍の幅とされることを特徴とする請求項１から５のいずれか１項に記載のウェーハ剥離洗浄装置。
【請求項７】
前記受渡用吸着パッドを先端部に設けた旋回アームを有し、前記受渡位置は前記旋回アームが水平となる位置であることを特徴とする請求項１から６のいずれか１項に記載のウェーハ剥離洗浄装置。
【請求項８】
前記受渡位置において、前記ウェーハは前記受渡用吸着パッドの軸心と同軸上に位置することを特徴とする請求項１から７のいずれか１項に記載のウェーハ剥離洗浄装置。
【手続補正２】
【補正対象書類名】明細書
【補正対象項目名】００２０
【補正方法】変更
【補正の内容】
【００２０】
ウェーハ剥離枚葉部１００は、バッチ状態のウェーハＷをスライスベースＳから１枚ずつ剥離して枚葉化する。そして、ウェーハ剥離枚葉部１００は、図２に示すように熱水槽１１２、剥離装置１１４、受渡装置１１８を主要装置として構成されている。受渡装置１１８は、剥離装置１１４によってスライスベースＳから剥離されたウェーハを受け取り、搬送部３１０のシャトルコンベア３１２に受け渡す装置である。
【手続補正書】
【提出日】令和1年10月21日(2019.10.21)
【手続補正１】
【補正対象書類名】特許請求の範囲
【補正対象項目名】全文
【補正方法】変更
【補正の内容】
【特許請求の範囲】
【請求項１】
多数枚同時に切断されたバッチ状態のウェーハをウェーハ剥離枚葉部において１枚ずつスライスベースから剥離して枚葉化し、剥離した前記ウェーハを受渡位置で受渡装置に受け渡し、該受渡装置により枚葉洗浄部に搬送して枚葉洗浄し、洗浄後、回収部でカセットに回収するウェーハ剥離洗浄装置において、
前記ウェーハの端面を吸着保持する剥離用吸着パッドと、上部にスリットが形成された前記ウェーハが倒れることを防止するための倒止板と、前記ウェーハと前記スライスベースとを接着する接着剤を軟化させるための熱水が貯留される熱水槽とを有した前記ウェーハ剥離枚葉部と、
前記ウェーハの鉛直上方に設けられ、前記熱水槽において前記ウェーハを１枚ずつ剥離する際に、前記剥離用吸着パッドが前記ウェーハに吸着した状態で前記ウェーハの鉛直上方で中心付近から熱水又は水を供給するための水供給ノズルと、
前記ウェーハ剥離枚葉部で剥離された前記ウェーハを前記剥離用吸着パッドから受け取る受渡用吸着パッドと、該受渡用吸着パッドに前記ウェーハが吸着保持されたこと検知する圧力スイッチと、を有した前記受渡装置と、
前記圧力スイッチによる検知信号によって、前記剥離用吸着パッドの真空吸着を解除すると共に、前記受渡用吸着パッドの前記剥離用吸着パッドから後退及び前記剥離用吸着パッドの下降を開始する制御装置と、
を備えたことを特徴とするウェーハ剥離洗浄装置。
【請求項２】
前記倒止板は、前記ウェーハの端面側に樹脂製の押し当て板を設けたことを特徴とする請求項１に記載のウェーハ剥離洗浄装置。
【請求項３】
前記押し当て板の反対側にステンレス製のステンレスプレートを設けたことを特徴とする請求項２に記載のウェーハ剥離洗浄装置。
【請求項４】
前記剥離用吸着パッドに吸着保持された前記ウェーハは、前記押し当て板にガイドされて、前記スリットを通過して前記受渡位置で停止することを特徴とする請求項２または３に記載のウェーハ剥離洗浄装置。
【請求項５】
前記受渡用吸着パッド及び前記剥離用吸着パッドは平形真空パッドとされることを特徴とする請求項１から４のいずれか１項に記載のウェーハ剥離洗浄装置。
【請求項６】
前記スリットの幅は、前記ウェーハの厚さの１．１〜１．５倍の幅とされることを特徴とする請求項１から５のいずれか１項に記載のウェーハ剥離洗浄装置。
【請求項７】
前記受渡用吸着パッドを先端部に設けた旋回アームを有し、前記受渡位置は前記旋回アームが水平となる位置であることを特徴とする請求項１から６のいずれか１項に記載のウェーハ剥離洗浄装置。
【請求項８】
前記受渡位置において、前記ウェーハは前記受渡用吸着パッドの軸心と同軸上に位置することを特徴とする請求項１から７のいずれか１項に記載のウェーハ剥離洗浄装置。